(57)【要約】【課題】  複数波長に対応した薄型構造の光ピックアップ及び光ディスクドライブを実現する。【解決手段】  第１のレーザ光を出射する第１のレーザ光源２１と、第１のレーザ光の波長に対応し当該第１のレーザ光を光ディスクに対して出射する第１の対物レンズ６２と、第１のレーザ光と異なる波長の第２のレーザ光を出射する第２のレーザ光源４１と、第２のレーザ光の波長に対応し当該第２のレーザ光を光ディスクに対して出射する第２の対物レンズ６３と、第１のレーザ光を第１のレーザ光源２１から第１の対物レンズ６２に導く第１の光路２０と、第２のレーザ光を第２のレーザ光源４１から第２の対物レンズ６３に導く第２の光路４０と、第１及び第２の光路の一部を合成する光路合成手段６１と、光路合成手段６１によって合成された合成光路を、第１及び第２の対物レンズ６２及び６３の前段で分離する光路分離手段６６とを光ピックアップ１０に設けた。【選択図】        図２
2006134474.tif 000002
【特許請求の範囲】
【請求項１】
第１のレーザ光を出射する第１のレーザ光源と、
上記第１のレーザ光の波長に対応し、当該第１のレーザ光を光ディスクに対して出射する第１の対物レンズと、
上記第１のレーザ光と異なる波長の第２のレーザ光を出射する第２のレーザ光源と、
上記第２のレーザ光の波長に対応し、当該第２のレーザ光を上記光ディスクに対して出射する第２の対物レンズと、
上記第１のレーザ光を上記第１のレーザ光源から上記第１の対物レンズに導く第１の光路と、
上記第２のレーザ光を上記第２のレーザ光源から上記第２の対物レンズに導く第２の光路と、
上記第１及び第２の光路の一部を合成する光路合成手段と、
上記光路合成手段によって合成された合成光路を、上記第１及び第２の対物レンズの前段で分離する光路分離手段と
を具えることを特徴とする光ピックアップ。
【請求項２】
上記第１及び第２の対物レンズは同一の２軸アクチュエータに設けられ、上記光路合成手段は、上記第１及び第２のレーザ光が当該２軸アクチュエータの内部に導入される前の光路上において、上記第１及び第２の光路を合成する
ことを特徴とする請求項１に記載の光ピックアップ。
【請求項３】
上記光路分離手段は波長選択性を有し、上記第１及び第２のレーザ光の波長に応じて当該第１及び第２のレーザ光を分離することにより、上記光路合成手段によって合成された合成光路を分離する
ことを特徴とする請求項１に記載の光ピックアップ。
【請求項４】
第１のレーザ光を出射する第１のレーザ光源と、
上記第１のレーザ光の波長に対応し、当該第１のレーザ光を光ディスクに対して出射する第１の対物レンズと、
上記第１のレーザ光と異なる波長の第２のレーザ光を出射する第２のレーザ光源と、
上記第２のレーザ光の波長に対応し、当該第２のレーザ光を上記光ディスクに対して出射する第２の対物レンズと、
上記第１のレーザ光を上記第１のレーザ光源から上記第１の対物レンズに導く第１の光路と、
上記第２のレーザ光を上記第２のレーザ光源から上記第２の対物レンズに導く第２の光路と、
上記第１及び第２の光路の一部を合成する光路合成手段と、
上記光路合成手段によって合成された合成光路を、上記第１及び第２の対物レンズの前段で分離する光路分離手段と
を具えることを特徴とする光ディスクドライブ。
【発明の詳細な説明】
【技術分野】
【０００１】
本発明は光ピックアップ及び光ディスクドライブに関し、複数種類の光ディスクを使用できるようになされた光ディスクドライブに適用して好適なものである。
【背景技術】
【０００２】
従来、光ディスクドライブにおいては、ＣＤ（Compact Disk）とＤＶＤ（Digital Versatile Disk）の２種類の光ディスクに対して記録や再生を行い得るようになされたものがある。
【０００３】
ＣＤに用いられるレーザ光の波長は７８０[nm]であるのに対し、ＤＶＤに用いられるレーザ光の波長は６５０[nm]であり、両者の波長は比較的近接している。このためＣＤ／ＤＶＤ両用の光ディスクドライブでは、対物レンズやコリメータレンズ等で構成される光路をＣＤ用レーザ光とＤＶＤ用レーザ光とで共通使用することにより、装置全体を小型化することができる（例えば、特許文献１参照）。
【特許文献１】特開２００２−２９８８６９公報
【発明の開示】
【発明が解決しようとする課題】
【０００４】
近年、波長が４０５[nm]の青紫色レーザ光を用いたブルーレイディスク（登録商標）が実用化されている。ブルーレイディスクは従来の光ディスクに比べて格段に短い波長のレーザ光を用いていることから、同じディスク径でなるＤＶＤの数倍の記録容量を有している。そして、ＣＤやＤＶＤと共にこのブルーレイディスクも使用できるようになされた３波長対応の光ディスクドライブも実用化されている。
【０００５】
ところが、上述したようにブルーレイディスク用のレーザ光は波長が４０５[nm]であり、ＣＤ用やＤＶＤ用のレーザ光とはその波長が大きく異なるため、これら３波長共用の対物レンズを設計することは困難である。このため３波長対応の光ディスクドライブでは、ブルーレイディスク用とＣＤ／ＤＶＤ用の２つの対物レンズを光ピックアップに設けるのが現実的である。
【０００６】
ここで、ブルーレイディスク用の光路とＣＤ／ＤＶＤ用の光路とを完全に分離した構造にすれば装置設計は容易になるものの、光ピックアップのサイズが大きくなってしまうという問題がある。このため３波長対応の光ピックアップにおいて、ブルーレイディスク用及びＣＤ／ＤＶＤ用の２つの対物レンズを一つの２軸アクチュエータに搭載し、ブルーレイディスク用及びＣＤ／ＤＶＤ用それぞれの光路から供給されるレーザ光を、対応する対物レンズに導入することが考えられる。
【０００７】
この場合でも、レーザ光を対物レンズに導入するための立ち上げミラーはブルーレイディスク用及びＣＤ／ＤＶＤ用の２つが必要となる。ところが実際上、２軸アクチュエータはレンズ支持機構や駆動用コイル等からなる複雑な構造を有しているため、当該２軸アクチュエータに対するレーザ光の導入範囲は限られる。特に、ノートパソコンに搭載される薄型構造の光ディスクドライブ（いわゆるスリムドライブ）では装置全体の厚さが制限されることからレーザ光の導入範囲もさらに限定され、これにより光ピックアップ自体の薄型化が困難であるという問題があった。
【０００８】
本発明は以上の点を考慮してなされたもので、複数波長に対応した薄型構造の光ピックアップ及び光ディスクドライブを提案しようとするものである。
【課題を解決するための手段】
【０００９】
かかる課題を解決するため本発明においては、第１のレーザ光を出射する第１のレーザ光源と、第１のレーザ光の波長に対応し当該第１のレーザ光を光ディスクに対して出射する第１の対物レンズと、第１のレーザ光と異なる波長の第２のレーザ光を出射する第２のレーザ光源と、第２のレーザ光の波長に対応し当該第２のレーザ光を光ディスクに対して出射する第２の対物レンズと、第１のレーザ光を第１のレーザ光源から第１の対物レンズに導く第１の光路と、第２のレーザ光を第２のレーザ光源から第２の対物レンズに導く第２の光路と、第１及び第２の光路の一部を合成する光路合成手段と、光路合成手段によって合成された合成光路を、第１及び第２の対物レンズの前段で分離する光路分離手段とを光ピックアップに設けた。
【００１０】
そして、第１及び第２の対物レンズは同一の２軸アクチュエータに設けられ、光路合成手段は第１及び第２のレーザ光が当該２軸アクチュエータの内部に導入される前の光路上において、第１及び第２の光路を合成するようにした。
【００１１】
第１及び第２の光路を２軸アクチュエータの前で共通化し、さらに第１及び第２の対物レンズの前段で分離するようにしたことにより、レーザ光の導入範囲が限られる薄型構造の２軸アクチュエータを用いて、複数波長に対応した薄型構造の光ピックアップを構成することができる。
【発明の効果】
【００１２】
本発明によれば、第１及び第２の光路を２軸アクチュエータの前で共通化し、さらに第１及び第２の対物レンズの前段で分離するようにしたことにより、レーザ光の導入範囲が限られる薄型構造の２軸アクチュエータを用いて、複数波長に対応した光ピックアップを構成することができ、かくして、複数波長に対応した薄型構造の光ピックアップ及び光ディスクドライブを実現することができる。
【発明を実施するための最良の形態】
【００１３】
以下図面について、本発明の一実施の形態を詳述する。
【００１４】
（１）光ディスクドライブの全体構成
図１は、全体として本発明を適用した光ディスクドライブ１を示し、箱形の筐体２に対し、ディスクトレイ部３が収納及び排出自在に取り付けられている。ディスクトレイ３には、光ディスク１００を装着するチャック４と、当該チャック４を介して光ディスク１００を回転駆動するスピンドルモータ（図示せず）と、光ディスク１００の記録面にレーザ光を照射するとともにその反射光を受光する光ピックアップ１０と、当該光ピックアップ１０全体を光ディスク１００の半径方向に往復移動させるスレッド機構（図示せず）とを有している。
【００１５】
この光ディスクドライブ１は３波長対応型でなり、ＣＤ、ＤＶＤ及びブルーレイディスクの３種類の光ディスクに対して記録や再生を行うようになされている。またこの光ディスクドライブ１は、いわゆるスリムドライブと呼ばれる薄型構造のディスクドライブであり、これにより筐体の厚さに限りがあるノートパソコン等にも搭載可能になされている。
【００１６】
（２）光ピックアップの構成
図２（Ａ）は３波長対応型の光ピックアップ１０を示し、ベース１１上に各種光学素子等が載置されて構成される。この光ピックアップ１０における光学系は、ＣＤ及びＤＶＤに対する記録再生を行うためのＣＤ／ＤＶＤ光学系２０、ブルーレイディスクディスク（以下、ＢＤと略す）に対する記録再生を行うためのＢＤ光学系光学系と呼ぶ）４０、ＣＤ、ＤＶＤ及びＢＤの３者に対して共通使用される共通光学系６０で構成される。
【００１７】
（２−１）ＣＤ／ＤＶＤ光学系の構成
ＣＤ／ＤＶＤ光学系２０においては、第１のレーザ光源としてのＣＤ／ＤＶＤ用レーザダイオード２１から出射されたレーザ光を、第１のレーザ光としてのＣＤ／ＤＶＤ用出射光としてカップリングレンズ２２、ミラー２３、グレーティング２４及びビームスプリッタ２５を順次介してコリメータレンズ２６に入射する。コリメータレンズ２６はＣＤ／ＤＶＤ用出射光を平行光に変換し、共通光学系６０に入射する。
【００１８】
共通光学系６０の光路合成用ビームスプリッタ６１は、ＣＤ／ＤＶＤ用出射光の一部を直角に反射して、レーザーパワー検出用のフロントフォトダイオード２７に入射する。また共通光学系６０は、詳しくは後述するが、ＣＤ／ＤＶＤ用出射光の残りをＣＤ／ＤＶＤ用対物レンズ６２を介して光ディスク１００の記録面に照射するとともに、その反射光をＣＤ／ＤＶＤ用入射光としてＣＤ／ＤＶＤ用対物レンズ６２で受光し、ＣＤ／ＤＶＤ光学系２０に入射する。
【００１９】
そしてＣＤ／ＤＶＤ光学系２０は、ＣＤ／ＤＶＤ用入射光をコリメータレンズ２６を介してビームスプリッタ２５に入射する。ビームスプリッタ２５はＣＤ／ＤＶＤ用入射光を直角に反射し、シリンドリカルレンズ２８及びホログラム２９を介して検出用のＰＤＩＣ（Photo Detector IC）３０に入射する。ＰＤＩＣ３０はＣＤ／ＤＶＤ用入射光を光電変換し、再生信号、トラッキングエラー信号、フォーカスエラー信号等の各種信号を出力する。
【００２０】
（２−２）ＢＤ光学系の構成
一方ＢＤ光学系４０においては、第２のレーザ光源としてのＢＤ用レーザダイオード４１から出射されたレーザ光を、第２のレーザ光としてのＢＤ用出射光として、波長板、グレーティング、若しくはこれらの複合素子でなる偏光手段４２によって偏光面を回転させた後、ビームスプリッタ４３に入射する。
【００２１】
ビームスプリッタ４３はＢＤ用出射光の一部を透過し、コリメータレンズ４４を介してレーザーパワー検出用のフロントフォトダイオード４５に入射する。またビームスプリッタ４３はＢＤ用出射光の残りを反射し、ビームスプリッタ４６及びミラー４７を順次介してコリメータレンズ４８に入射する。コリメータレンズ４８はＢＤ用出射光を平行光に変換し、共通光学系６０に入射する。
【００２２】
共通光学系６０の光路合成用ビームスプリッタ６１は、ＢＤ用出射光を直角に反射し、ＢＤ用対物レンズ６３を介して光ディスク１００の記録面に照射するとともに、その反射光をＢＤ用入射光としてＢＤ用対物レンズ６３で受光し、ＢＤ光学系４０に入射する。
【００２３】
ＢＤ光学系４０は、ＢＤ用入射光をコリメータレンズ４８及びミラー４７を順次介してビームスプリッタ４６に入射する。ビームスプリッタ４６はＢＤ用出射光を透過し、ホログラム４９及びカップリングレンズ５０を介して検出用のＰＤＩＣ５１に入射する。ＰＤＩＣ５１はＢＤ用入射光を光電変換し、再生信号、トラッキングエラー信号、フォーカスエラー信号等の各種信号を出力する。
【００２４】
（２−３）共通光学系の構成
次に、本願発明の特徴である共通光学系６０の構成について詳細に説明する。この共通光学系６０においては、ＣＤ／ＤＶＤ用対物レンズ６２及びＢＤ用対物レンズ６３が同じ２軸アクチュエータ６８に搭載されているとともに、当該ＣＤ／ＤＶＤ用対物レンズ６２及びＢＤ用対物レンズ６３の下方には、ＢＤ用立ち上げミラー６６及びＣＤ／ＤＶＤ用立ち上げミラー６７からなる立ち上げミラー部６５が設けられている。
【００２５】
すなわち図２（Ｂ）に示すように、ＣＤ／ＤＶＤ用対物レンズ６２の下方にはＣＤ／ＤＶＤ用立ち上げミラー６６が設けられているとともに、ＢＤ用対物レンズ６３の下方にはＢＤ用立ち上げミラー６７が設けられており、光路合成用ビームスプリッタ６１、ＢＤ用立ち上げミラー６７及びＣＤ／ＤＶＤ用立ち上げミラー６６は一直線上に配置されている。
【００２６】
上述したように共通光学系６０においては、ＣＤ／ＤＶＤ用出射光及びＢＤ用出射光はいずれも光路合成手段としての光路合成用ビームスプリッタ６１に入射される。共通光学系６０は、光路合成用ビームスプリッタ６１を透過したＣＤ／ＤＶＤ用出射光及びＢＤ用出射光を、球面収差補正用の液晶素子６４を介して、光路分離手段としてのＢＤ用立ち上げミラー６７に入射する。
【００２７】
このＢＤ用立ち上げミラー６７は波長選択性ビームスプリッタでなり、ブルーレイディスク用の波長４０５[nm]の青紫色レーザ光のみを９０°反射するようになされている。このためＢＤ用立ち上げミラー６７は、入射した出射光がＢＤ用出射光である場合、当該ＢＤ用出射光を反射して上方に立ち上げ、ＢＤ用対物レンズ６３を介して光ディスク１００（この場合ブルーレイディスク）に照射するとともに、ＢＤ用対物レンズ６３を介して受光したＢＤ用入射光を反射し、液晶素子６４及び光路合成用ビームスプリッタ６１を介してＢＤ光学系４０に入射する。
【００２８】
これに対し、入射した出射光がＣＤ／ＤＶＤ用出射光である場合、ＢＤ用立ち上げミラー６７は当該ＣＤ／ＤＶＤ用出射光を透過してＣＤ／ＤＶＤ用立ち上げミラー６６に入射する。ＣＤ／ＤＶＤ用立ち上げミラー６６はＣＤ／ＤＶＤ用出射光を反射して上方に立ち上げ、ＣＤ／ＤＶＤ用対物レンズ６２を介して光ディスク１００（この場合ＣＤ又はＤＶＤ）に照射するとともに、ＣＤ／ＤＶＤ用対物レンズ６２を介して受光したＣＤ／ＤＶＤ用入射光を反射し、ＢＤ用立ち上げミラー６７、液晶素子６４及び光路合成用ビームスプリッタ６１を介してＣＤ／ＤＶＤ光学系２０に入射する。
【００２９】
（３）動作及び効果
以上の構成において、この光ピックアップ１０では、ＣＤ／ＤＶＤ用対物レンズ６２及びＢＤ用対物レンズ６３を同じ２軸アクチュエータ６８に搭載するとともに、ＣＤ／ＤＶＤ光学系２０から出射されるＣＤ／ＤＶＤ用出射光及びＢＤ光学系４０から出射されるＢＤ用出射光を、共に共通光学系６０の光路合成用ビームスプリッタ６１を介して立ち上げミラー部６５に入射するようにした。
【００３０】
そして、波長選択性ビームスプリッタでなるＢＤ用立ち上げミラー６７によってＣＤ／ＤＶＤ用出射光とＢＤ用出射光とを分離し、対応する対物レンズ６２又は６３を介して出射するようにした。
【００３１】
このように、立ち上げミラー部６５に入射する際のＣＤ／ＤＶＤ用出射光及びＢＤ出射光の光路を光路合成用ビームスプリッタ６１によって合成することにより、対物レンズ６２及び６３を保持する２軸アクチュエータ６７に対するＣＤ／ＤＶＤ用出射光及びＢＤ出射光の光路を共通化した。これにより、レーザ光の導入範囲が限られる薄型構造の２軸アクチュエータ６７を用いて、３波長対応型の光ピックアップ１０を構成することができる。
【００３２】
以上の構成によれば、ＣＤ／ＤＶＤ用及びＢＤ用の光路の一部を光路合成用ビームスプリッタ６１によって共通化し、さらに、立ち上げミラー部６５においてＣＤ／ＤＶＤ用及びＢＤ用の光路を分離して対応する対物レンズ６２及び６３に入射するようにしたことにより、レーザ光の導入範囲が限られる薄型構造の２軸アクチュエータ６７を用いて、薄型かつ３波長対応型の光ピックアップ１０を構成することができ、かくして複数波長に対応した薄型構造でなる光ディスクドライブ１を実現することができる。
【００３３】
（４）他の実施の形態
なお上述の実施の形態においては、ＣＤ／ＤＶＤ用及びＢＤ用の２つの光路の一部を光路合成用ビームスプリッタ６１で共通化するようにしたが、本発明はこれに限らず、ＣＤ用、ＤＶＤ用及びＢＤ用それぞれの光路を別個に設け、これら３つの光路の一部を光路合成用ビームスプリッタで共通化し立ち上げミラー部６５に導入するようにしても良い。また、光ディスクドライブ１の使用対象となる光ディスクもＣＤ、ＤＶＤ及びＢＤに限らず、種々の光ディスクに適用することができる。
【産業上の利用可能性】
【００３４】
本発明は、各種の光ディスクドライブに適用できる。
【図面の簡単な説明】
【００３５】
【図１】光ディスクドライブの全体構成を示す略線的斜視図である。
【図２】本発明による薄型ドライブ対応の光ピックアップの構成を示す略線図である。
【符号の説明】
【００３６】
１……光ディスクドライブ、２……筐体、３……ディスクトレイ、４……チャック、１０……光ピックアップ、１１……ベース、２０……ＣＤ／ＤＶＤ光学系、２１……ＣＤ／ＤＶＤ用レーザダイオード、２２……カップリングレンズ、２３、４７……ミラー、２４……グレーティング、２５、４３、４６……ビームスプリッタ、２６、４４、４８……コリメータレンズ、２７、４５……フロントフォトダイオード、２８……シリンドリカルレンズ、２９……ホログラム、３０……ＰＤＩＣ、４０……ＢＤ光学系、４１……ＢＤ用レーザダイオード、４２……偏光手段、６０……共通光学系、６１……光路合成用ビームスプリッタ、６２……ＣＤ／ＤＶＤ用対物レンズ、６３……ＢＤ用対物レンズ、６４……液晶素子、６５……立ち上げミラー部、６６……ＣＤ／ＤＶＤ用立ち上げミラー、６７……ＢＤ用立ち上げミラー、６８……２軸アクチュエータ。
【図１】
2006134474.tif 000003
【図２】
2006134474.tif 000004